(57)【特許請求の範囲】
【請求項１】
下部にマイクロホンが設けられると共に、前面に操作キーが設けられた第１のケースと、
前面上部にスピーカが設けられると共に、上記操作キーによる入力操作の有効又は無効の切換制御と通話状態又は終話状態の切換制御とを行う電気回路を収納する第２のケースと、
上記第１のケースの上端側に設けられ、かつ上記第２のケースの長さ方向に設けられた第１の溝に係合することにより、上記第１のケースの上端側が上記第２のケースの長さ方向に摺動するように当該第１及び第２のケースを連結する軸と、
一端が上記第１のケースの上端側から離れた位置に回動自在に取り付けられ、かつ他端が上記第２のケースの奥行き方向に設けられた第２の溝に係合するように取り付けられることにより、収納時には上記第１のケースの前面と上記第２のケースの背面とが向かい合い、伸張時には上記第１のケースの下部が上記第２のケースから離隔して起き上がるように連結するリンクと、
上記第２のケースに配設され、上記リンクの上記他端を前面側に付勢するバネ材と
を具えることを特徴とする携帯型通信端末装置。
【請求項２】
上記電気回路は、
上記第１のケースが収納状態又は伸張状態のいずれであるかを検出する検出手段と、
上記検出手段の検出結果が上記収納状態であれば上記操作キーを無効にし、上記伸張状態であれば上記操作キーを有効にする制御手段と
を具えることを特徴とする請求項１に記載の携帯型通信端末装置。
【請求項３】
上記電気回路は、
上記第１のケースにおける収納状態から伸張状態へのスライド動作又は伸張状態から収納状態へのスライド動作を検出する検出手段と、
上記検出手段の検出結果が上記収納状態から上記伸張状態へのスライド動作であれば通話状態に遷移させ、上記伸張状態から上記収納状態へのスライド動作であれば終話状態に遷移させる制御手段と
を具えることを特徴とする請求項１に記載の携帯型通信端末装置。
【発明の詳細な説明】
【０００１】
【目次】
以下の順序で本発明を説明する。
発明の属する技術分野
従来の技術
発明が解決しようとする課題（図８〜図９）
課題を解決するための手段
発明の実施の形態（図１〜図７）
発明の効果
【０００２】
【発明の属する技術分野】
本発明は携帯型通信端末装置に関し、例えば携帯電話装置に適用して好適なものである。
【０００３】
【従来の技術】
昨今、携帯電話装置においては、携帯性を向上させようとして小型化・軽量化が図られている。これによりユーザは携帯電話装置を手軽に持ち運ぶことができるようになり、例えばポケツトに入れて常時携帯し、時間や場所を問わずにだれとでも通話できるようになされている。
【０００４】
【発明が解決しようとする課題】
ところでこのようにして小型化が図られると、スピーカとマイクロホンが接近して設けられることになり、その結果スピーカとマイクロホンの位置がユーザの耳と口の位置に適合せず、通話するときの取り扱いが不便になるといつた問題が発生する。このような問題を回避するものとして、スピーカを有する可動部材がマイクロホンから直線的に伸長するストレートタイプの携帯電話装置とマイクロホンを有するフリツパが回動するフラツプタイプの携帯電話装置とが考えられる。
【０００５】
ここでストレートタイプの携帯電話装置１について、可動部材を伸張させるときの動きを図８（Ａ）及び（Ｂ）を用いて説明する。図８（Ａ）に示すように、本体２はマイクロホンを有する主ケース２Ａとスピーカを有するスライドケース２Ｂとから構成されている。ユーザはこのストレートタイプの携帯電話装置１を用いて通話するときに、図８（Ｂ）に示すように、スライドケース２Ｂを摺動させて全体の長さを伸長させる。これによりスピーカとマイクロホンの距離をユーザの耳と口の距離に合わせることができる。
【０００６】
またフラツプタイプの携帯電話装置４について、フリツパを回動させるときの動きを図９（Ａ）及び（Ｂ）を用いて説明する。図９（Ａ）に示すように、本体５はスピーカを有する主ケース５Ａとマイクロホンを有するフリツパ５Ｂとから構成され、当該フリツパ５Ｂは固定軸６を軸として回動自在に取り付けられている。ユーザはこのフラツプタイプの携帯電話装置４を用いて通話するときに、図９（Ｂ）に示すように、フリツパ５Ｂを固定軸６を軸として回動させる。これによりスピーカとマイクロホンの位置をユーザの耳と口の位置に合わせることができる。
【０００７】
ところでストレートタイプの携帯電話装置１においては、装置全体が直線的に伸長するだけでユーザの顔の輪郭に沿つた伸張でないため、スピーカを耳に当てるとマイクロホンが口に当たらず、一方マイクロホンを口に当てるとスピーカが耳に当たらないという状態になり、スピーカとマイクロホンの位置をユーザの耳と口の位置に完全に適合させることができないといつた不都合がある。
【０００８】
またフラツプタイプの携帯電話装置４においては、フリツパ５Ｂを回動させているのでフリツパ５Ｂが回動するための可動範囲が必要であり、例えば本体５をユーザの顔に近づけてスピーカを耳に当てた状態でフリツパ５Ｂを回動させようとするとユーザの顔が障害となつて、フリツパ５Ｂを回動させることが困難となる問題があつた。さらにフラツプタイプの携帯電話装置４においては、フリツパ５Ｂを頻繁に開閉したり、或いはフリツパ５Ｂを開けた状態で落としたりすると壊れやすいという問題もあつた。
【０００９】
本発明は以上の点を考慮してなされたもので、使用中でも容易に通話し易い形状に伸張し得る携帯型通信端末装置を提案しようとするものである。
【００１０】
【課題を解決するための手段】
かかる課題を解決するため本発明においては、下部にマイクロホンが設けられると共に、前面に操作キーが設けられた第１のケースと、前面上部にスピーカが設けられると共に、上記操作キーによる入力操作の有効又は無効の切換制御と通話状態又は終話状態の切換制御とを行う電気回路を収納する第２のケースと、第１のケースの上端側に設けられ、かつ第２のケースの長さ方向に設けられた第１の溝に係合することにより、第１のケースの上端側が第２のケースの長さ方向に摺動するように当該第１及び第２のケースを連結する軸と、一端が第１のケースの上端側から離れた位置に回動自在に取り付けられ、かつ他端が上記第２のケースの奥行き方向に設けられた第２の溝に係合するように取り付けられることにより、収納時には第１のケースの前面と第２のケースの背面とが向かい合い、伸張時には上記第１のケースの下部が第２のケースから離隔して起き上がるように連結するリンクと、第２のケースに配設され、リンクの他端を前面側に付勢するバネ材とを設けるようにした。
このように軸、リンク及びバネ材を介して第１のケースを第２のケースに連結させたことにより、第１のケースが第２のケースに対して収納状態から伸張状態に起き上がる際に第１のケースの他端をユーザの顔の輪郭に沿つて伸張させることができる。
【００１１】
【発明の実施の形態】
以下図面について、本発明の一実施例を詳述する。
【００１２】
図１において、１０は全体として携帯電話装置を示し、合成樹脂材料によつて形成された本体１１に各種部材が取り付けられている。まず本体１１の上部には送受信用のアンテナ１２が引き出し及び収納可能な状態で取り付けられており、この携帯電話装置１０ではアンテナ１２を介して基地局装置との間で電波の送受信を行うようになされている。
【００１３】
本体１１の正面上部にはスピーカ１３が設けられ、通話時、このスピーカ１３から通話相手の音声が出力されるようになされている。また本体１１の正面下部にはマイクロホン１４が設けられ、通話時、このマイクロホン１４がユーザの音声を集音するようになされている。
また本体１１の正面中程には表示手段として液晶デイスプレイ（ＬＣＤ：Liquid Crystal Display）１５が設けられ、電波の受信状況、電池容量、電話を掛けたときの電話番号、電話帳として登録されている電話番号やその相手先の名称等、各種情報を表示し得るようになされている。
【００１４】
また本体１１の正面下部には操作手段として各種操作キー１６が設けられ、この操作キー１６を用いて各種指示を入力し得るようになされている。この場合、具体的には操作キー１６として次の６種類のキーが設けられている。すなわち「発呼」キー１６Ａ、「終話」キー１６Ｂ、「リダイヤル」キー１６Ｃ、「０」〜「９」の数字キー１６Ｄ、「＊」キー１６Ｅ、「♯」キー１６Ｆの６種類のキーが設けられている。
【００１５】
これらの各操作キー１６には次のような機能が割り当てられている。すなわち「発呼」キー１６Ａには入力された電話番号や電話帳リストから呼び出された電話番号に対して発呼処理を行うときの発呼指示を入力する機能が割り当てられている。「終話」キー１６Ｂには通話終了の指示を入力したり、その他各種動作モードの終了指示を入力する機能が割り当てられている。「リダイヤル」キー１６Ｃには過去に電話を掛けた相手先の電話番号を日時と共に表示する発信履歴を読出す指示を入力する機能が割り当てられている。
【００１６】
１０個の数字キー１６Ｄにはそれぞれに対応する数字情報を入力する機能が割り当てられている。また数字キー１６Ｄにはこの他にもカタカナ文字や英文字を入力する機能が割り当てられており、これにより電話帳登録時等に相手先氏名等を入力し得るようになされている。「＊」キー１６Ｅには「＊」文字を入力する機能の他、カーソル表示を左方向に移動する指示を入力する機能が割り当てられている。「♯」キー１６Ｆには「♯」文字を入力する機能の他、カーソル表示を右方向に移動する指示を入力する機能が割り当てられている。
【００１７】
ここで図２（Ａ）及び（Ｂ）において、携帯電話装置１０の本体構造について説明する。図２（Ａ）に示すように、本体１１はマイクロホン１４や操作キー１６等を有するスライドケース１１Ａと、アンテナ１２やスピーカ１３、或いは通信機としての電気回路等を有する主ケース１１Ｂとから構成されている。スライドケース１１Ａは例えば鞄に入れているとき等使用していないときに主ケース１１Ｂに収納状態で保持されるようになされており、これにより大きさを小さくして持ち運びを便利にし得る。
【００１８】
図２（Ｂ）に示すように、主ケース１１Ｂには当該主ケース１１Ｂの長さ方向に延びる板状の突起部１７、１８が設けられており、さらにこれら突起部１７、１８にはガイド溝１９、２０が形成されている。スライドケース１１Ａは正面下方、すなわち本体１１の長さ方向に伸張し得る可動部材であり、ガイド溝１９、２０に沿つて摺動し得るようになされている。これによりスライドケース１１Ａが収納状態にあるとき、ユーザがスライドケース１１Ａを長さ方向に引き出そうとすると、スライドケース１１Ａはガイド溝１９、２０に沿つて摺動して伸張状態に移行する。なお、このとき後述するようにスライドケース１１Ａは主ケース１１Ｂに対して起き上がるようになつている。
【００１９】
このような携帯電話装置１０においては、待受時でスライドケース１１Ａが収納状態にあるときは、操作キー１６を無効にし（以下、これをキーロツクと呼ぶ）、ユーザがスライドケース１１Ａを収納状態から伸張状態にすると、操作キー１６のキーロツクが解除され、当該操作キー１６を有効にするようになされている。さらにこの携帯電話装置１０は、着信時にユーザがスライドケース１１Ａを収納状態から伸張状態にスライドさせると通話状態に遷移し、通話時にユーザがスライドケース１１Ａを伸張状態から収納状態にスライドさせると終話状態に遷移するようになされている。
【００２０】
ここで図３を用いて回路構成について説明する。まず各種操作キー１６から入力された指示情報は、制御手段としてのＣＰＵ（Central Processing Unit ）２１に入力される。ＣＰＵ２１は入力される指示情報に基づいてＬＣＤドライバ回路１５Ａを制御することにより、指示情報に応じた各種情報（例えば入力される電話番号やメニユー項目等）を液晶デイスプレイ１５に表示する。またＣＰＵ２１は入力される指示情報に基づいて、送受信回路部２２を制御することにより、発呼処理や終話処理等、指示情報に応じた各種処理を実行する。またＣＰＵ２１はＲＡＭ（Random Access Memory）２３にアクセスして所定の情報を記憶する。
【００２１】
因みに、このような制御動作を行うＣＰＵ２１はＲＯＭ（Read Only Memory）２４に格納されているプログラムコードに基づいて制御動作を行うようになされている。
送受信回路部２２はＣＰＵ２１の制御によりアンテナ１２を介して制御信号を送出して発呼処理を行つたり、或いは基地局装置からの着信信号をアンテナ１２を介して受け、ＣＰＵ２１に対して着信通知を行うようになされている。また送受信回路部２２は通話時にマイクロホン１４から入力される音声信号に所定の信号処理を施して送信したり、或いは受信信号に所定の信号処理を施して音声信号を復調し、これをスピーカ１３に出力するようになされている。
【００２２】
ところでこの携帯電話装置１０にはスライド検出器２５が設けられている。このスライド検出器２５はスライドケース１１Ａの収納及び伸張状態を検出し、その検出結果をＣＰＵ２１に送出するようになされている。すなわち待受時でスライドケース１１Ａが収納状態にあるとき、スライド検出器２５はスライドケース１１Ａが収納状態であることを検出し、この検出結果をＣＰＵ２１に送出する。これを受けてＣＰＵ２１は操作キー１６から入力された指示情報を無効にする。このときユーザがスライドケース１１Ａを収納状態から伸張状態にすると、スライド検出器２５は伸張状態になつたことを検出し、この検出結果をＣＰＵ２１に送出する。これを受けてＣＰＵ２１は操作キー１６のキーロツクを解除し、当該操作キー１６から入力された指示情報を有効にする。
【００２３】
また着信時、ユーザがスライドケース１１Ａを収納状態から伸張状態にスライドさせると、スライド検出器２５はこのスライド動作を検出し、その検出結果をＣＰＵ２１に送出する。これを受けてＣＰＵ２１は送受信回路２２を制御することにより通話状態に遷移させる。さらに通話時、スライドケース１１Ａが伸張状態にありユーザがスライドケース１１Ａを伸張状態から収納状態にスライドさせると、スライド検出器２５はこのスライド動作を検出し、その検出結果をＣＰＵ２１に送出する。これを受けてＣＰＵ２１は送受信回路２２を制御することにより終話状態に遷移させる。
【００２４】
因みに、ＣＰＵ２１、送受信回路部２２、ＲＡＭ２３、ＲＯＭ２４、スライド検出器２５、アンテナ１２、スピーカ１３、ＬＣＤ１５、ＬＣＤドライバ１５Ａは主ケース１１Ｂに収納されている。また、マイクロホン１４、操作キー１６はスライドケース１１Ａに収納されている。
【００２５】
ここで図４を用いて携帯電話装置１０のスライド機構について説明する。スライドケース１１Ａ及び主ケース１１Ｂは２つの連結部材によつて連結されている。一つは棒状部材からなるリンク３０（３１）であり、もう一つは円柱状の部材からなる連結軸３２（３３）である。スライドケース１１Ａの背面側には、主ケース１１Ｂの突起部１７（１８）に対応して２つの凹部（図示せず）が形成されている。このスライドケース１１Ａの２つの凹部には当該スライドケース１１Ａの側面方向に突出するように円柱状の連結軸３２（３３）が設けられている。なお、この連結軸３２（３３）は凹部のうちスライドケース１１Ａの端部側に設けられている。このとき連結軸３２（３３）は突起部１７（１８）の長さ方向に設けられたガイド溝１９（２０）に係合するようになされており、これによりスライドケース１１Ａは当該ガイド溝１９（２０）に沿つて本体１１の長さ方向にのみ摺動するようになされている。
【００２６】
スライドケース１１Ａの両側部のほぼ中央には、棒状部材のリンク３０（３１）の一端がねじ３４（３５）によつて回動自在に取り付けられている。またリンク３０（３１）の他端には当該リンク３０（３１）に対して垂直方向に突出するように円柱状の連結軸３６（３７）が形成されている。この連結軸３６（３７）は主ケース１１Ｂの側部に奥行き方向に延びるように形成されたガイド溝３８（３９）に係合されており、これによりリンク３０（３１）の他端はガイド溝３８（３９）に沿つて摺動するようになされている。
【００２７】
ところで主ケース１１Ｂの両側部の所定位置にはコイルバネ４０（４１）が配設されている。このコイルバネ４０（４１）の一端は主ケース１１Ｂの背面側に当接しており、その他端は上述した連結軸３６（３７）に当接している。これにより連結軸３６（３７）はコイルバネ４０（４１）によつてスライドケース１１Ａ側に付勢されている。すなわち連結軸３６（３７）はコイルバネ４０（４１）によつて常にスライドケース１１Ａ側に付勢されながら、ガイド溝３８（３９）を摺動するようになされている。
【００２８】
ここで図５においてスライドケース１１Ａを収納状態から伸張状態にスライドさせるときの各部の動きを説明する。スライドケース１１Ａが収納状態にあるとき、図５（Ａ）に示すように、リンク３０（３１）の連結軸３６（３７）がコイルバネ４０（４１）の付勢力によつてガイド溝３８（３９）のスライドケースイ１１Ａ側に片寄せられている。これによりスライドケース１１Ａは収納状態で保持されるようになされている。
【００２９】
この状態において、ユーザがスライドケース１１Ａを本体１１の長さ方向へ引き出そうとすると、連結軸３２（３３）が突起部１７（１８）に形成されたガイド溝１９（２０）に沿つて摺動することにより、スライドケース１１Ａは主ケース１１Ｂの長さ方向に摺動する。このときリンク３０（３１）に設けられた連結軸３６（３７）はコイルバネ４０（４１）に接しながらガイド溝３８（３９）を背面側に向かつて摺動する。これによつてコイルバネ４０（４１）を押し縮める。
【００３０】
こうして連結軸３６（３７）はコイルバネ４０（４１）を押し縮めながらガイド溝３８（３９）を摺動し、当該ガイド溝３８（３９）の背面側の端部まで達しこれ以上摺動できなくなると、図５（Ｂ）に示すように、リンク３０（３１）の反対側が起き上がることによつてスライドケース１１Ａを主ケース１１Ｂに対して起き上がらせていく。
【００３１】
この後、引き続きスライドケース１１Ａを引き伸ばしていくとスライドケース１１Ａが長さ方向に伸張するのに連動してリンク３０（３１）がガイド溝３８（３９）に対して平行になり、さらにスライドケース１１Ａを引き伸ばしていくと連結軸３６（３７）はコイルバネ４０（４１）によつて付勢され、ガイド溝３８（３９）をスライドケース１１Ａ側に向かつて摺動するようになる。
【００３２】
この後、図５（Ｃ）に示すように、リンク３０（３１）の連結軸３６（３７）は、コイルバネ４０（４１）に付勢されてガイド溝３８（３９）のスライドケース１１Ａ側の端部まで摺動し片寄せられる。こうしてスライドケース１１Ａに一体成形された連結軸３２（３３）がＹ軸方向に「−Ａ」だけ摺動すると、マイクロホン１４が設けられている側の端部はＸ軸方向に「Ｃ」だけ主ケース１１Ｂに対して押し上げられ、Ｙ軸方向に「−Ｂ」だけ移動する。このとき連結軸３６（３７）はコイルバネ４０（４１）に付勢され、この伸張状態を保持するようになされている。
【００３３】
以上の構成において、スライドケース１１Ａが収納状態にあるとき、ユーザがスライドケース１１Ａを本体１１の長さ方向へ引き出そうとすると、スライドケース１１Ａは連結部材によつて主ケース１１Ｂの長さ方向に摺動しながら主ケース１１Ｂに対して押し上げられることにより、伸張状態に移行することができる。こうしてスライドケース１１Ａを引き伸ばし主ケース１１Ｂに対して起き上がらせることにより、本体１１を「く」の字形に伸張し得る。
【００３４】
このようにして、携帯電話装置１０においては、スライドケース１１Ａをユーザの顔の輪郭に沿つて伸張させることから、スピーカ１３とマイクロホン１４との位置をユーザの耳と口の位置に適合させることができる。またこの場合、スライドケース１１Ａを本体１１の長さ方向に摺動させながら主ケース１１Ｂに対して起き上がらせるようにしたことにより、従来のフラツプタイプの携帯電話装置４に比してスライドケース１１Ａの可動範囲を小さくし得、従つて本体１１をユーザの顔に当てた状態でも容易に伸張させることができる。
【００３５】
さらに携帯電話装置１０においては、連結部材として連結軸３２（３３）及びリンク３０（３１）の２部材を用いるようにしたことにより、従来のフラツプタイプの携帯電話装置４において連結部材として用いられる固定軸６に比して、一段と可動部材の連結の強度を向上させることができる。
【００３６】
以上の構成によれば、スライドケース１１Ａが主ケース１１Ｂの長さ方向に摺動するようにスライドケース１１Ａ及び主ケース１１Ｂを連結すると共に、伸張時にはスライドケース１１Ａが主ケース１１Ｂに対して起き上がるように連結したことにより、スライドケース１１Ａをユーザの顔の輪郭に沿つて伸張させることができ、従つてスライドケース１１Ａの可動範囲を小さくしながら、スピーカ１３とマイクロホン１４との位置をユーザの耳と口の位置に適合し得る。かくするにつき使用中でも容易に通話し易い形状に伸張し得る携帯電話装置１０を実現できる。
【００３７】
なお上述の実施例においては、図２（Ｂ）に示すように、スライドケース１１Ａに操作キー１６を設けるようにした場合について述べたが、本発明はこれに限らず、図２（Ｂ）との対応部分に同一符号を付して示す図６に示すように、例えば携帯電話装置５０のスライドケース１１Ａの下側位置にある主ケース１１Ｂに操作キー５１を設け、スライドケース１１Ａを伸張状態にしたときにこれら操作キー５１を操作できるようにしても上述の場合と同様の効果を得ることができる。
【００３８】
また上述の実施例においては、図２に示すように、主ケース１１Ｂに設けられた突起部１７（１８）にガイド溝１９（２０）を形成し、当該ガイド溝１９（２０）に沿つて連結軸３２（３３）が摺動する場合について述べたが、本発明はこれに限らず、図２との対応部分に同一符号を付して示す図７に示すように、携帯電話装置６０の主ケース６１Ｂの側面を引き延ばして側部６２（６３）を設けるようにし、その側部の内側にガイド溝６４（６５）を形成することにより、このガイド溝６４（６５）に沿つて連結軸３２（３３）が摺動するようにしても上述の場合と同様の効果を得ることができる。
【００３９】
また上述の実施例においては、スライドケース１１Ａのスライド動作に連動して操作キー１６を有効にしたり無効にしたりするようにした場合について述べたが、本発明はこれに限らず、例えばメニユーのユーザ設定で収納状態でも操作キー１６が有効になるような設定をできるようにすれば、ユーザは収納状態で使用しても伸張状態で使用してもどちらでも良いことから、通話時の状況に応じて使い勝手の良い状態を選択することができる。
【００４０】
また上述の実施例においては、図４に示すように、スライドケース１１Ａの両側部のほぼ中央にリンク３０（３１）の一端を取り付けた場合について述べたが、本発明はこれに限らず、連結軸３２（３３）が設けられているスライドケース１１Ａの端部から離れた位置の両側部にリンク３０（３１）を取り付けるようにしても上述の場合と同様の効果を得ることができる。
【００４１】
また上述の実施例においては、図４に示すように、突起部１７（１８）のガイド溝１９（２０）にそれぞれ係合するように別々の連結軸３２（３３）をスライドケース１１Ａに設けるようにした場合について述べたが、本発明はこれに限らず、突起部１７（１８）のガイド溝１９（２０）に係合する一つの連結軸を設けるようにしても上述の場合と同様の効果を得ることができる。
【００４２】
また上述の実施例においては、図４に示すように、リンク３０（３１）及びガイド溝３８（３９）を本体１１の両側に設けるようにした場合について述べたが、本発明はこれに限らず、本体１１の中央部にリンク及びガイド溝をそれぞれ一つだけ設けるようにしても上述の場合と同様の効果を得ることができる。
【００４３】
さらに上述の実施例においては、本発明を携帯電話装置１０に適用した場合について述べたが、本発明はこれに限らず、例えば無線機等のマイクロホン及びスピーカを有する携帯型通信端末装置に広く適用し得る。
【００４４】
【発明の効果】
上述のように本発明によれば、軸、リンク及びバネ材を介して第１のケースを第２のケースに連結させたことにより、第１のケースが第２のケースに対して収納状態から伸張状態に起き上がる際に第１のケースをユーザの顔の輪郭に沿つて伸張させることができ、従つて第１のケースの可動範囲を小さくしながら、スピーカとマイクロホンとの位置をユーザの耳と口の位置に適合し得、このとき軸及びリンクの両方で当該第１のケースを安定的に支持することができる。かくするにつき使用中でも容易に通話し易い形状に伸張することができる。
【図面の簡単な説明】
【図１】本発明の一実施例による携帯電話装置の外観を示す略線図である。
【図２】携帯電話装置の収納及び伸張状態の説明に供する略線図である。
【図３】携帯電話装置の回路構成を示すブロツク図である。
【図４】携帯電話装置のスライド機構を示す略線的側面図である。
【図５】携帯電話装置のスライド動作の説明に供する略線的側面図である。
【図６】他の実施例による携帯電話装置の伸張状態の説明に供する略線図である。
【図７】他の実施例による携帯電話装置の収納及び伸張状態の説明に供する略線図である。
【図８】従来の携帯電話装置の収納及び伸張状態の説明に供する略線的側面図である。
【図９】従来の携帯電話装置の収納及び伸張状態の説明に供する略線的側面図である。
【符号の説明】
１０……携帯電話装置、１１……本体、１１Ａ……スライドケース、１１Ｂ……主ケース、１３……スピーカ、１４……マイクロホン、１６……操作キー、１７、１８……突起部、１９、２０……ガイド溝、２５……スライド検出器、３０、３１……リンク、３２、３３……連結軸、３４、３５……ねじ、３６、３７……連結軸、３８、３９……ガイド溝、４０、４１……コイルバネ。
【図１】
0003759547.tif 000002
【図２】
0003759547.tif 000003
【図３】
0003759547.tif 000004
【図４】
0003759547.tif 000005
【図５】
0003759547.tif 000006
【図６】
0003759547.tif 000007
【図７】
0003759547.tif 000008
【図８】
0003759547.tif 000009
【図９】
0003759547.tif 000010